(57)【要約】      （修正有）【課題】視聴者とのインタラクティブ機能を有するインタラクティブ展示装置を提供する。【解決手段】ショーウィンドウ１０、ショーウィンドウ１０内で展示物５０を載せるための陳列台２０、ショーウィンドウ１０内にある中央処理ユニット３０及びショーウィンドウ１０の上に設けられた映像キャプチャモジュール４０を備えてなり、映像キャプチャモジュール４０は中央処理ユニット３０と電気的に接続され、映像キャプチャモジュール４０にキャップされた視聴者の映像を、中央処理ユニット３０を通じて、保存されている展示物映像と合成したあと、ショーウィンドウ１０正面の透明表示パネル１１に表示するように設けられ、視聴者が透明表示パネル１１上のタッチコントロール入力モジュール１４を利用して、その映像の表示角度や大きさを制御、変更して、インタラクティブ機能を果すことが可能である。【選択図】図１
0003201970.tif 000002
【実用新案登録請求の範囲】
【請求項１】
インタラクティブ展示装置であって、
ショーウィンドウ（１０）、ショーウィンドウ（１０）内にある陳列台（２０）、ショーウィンドウ（１０）内にある中央処理ユニット（３０）及びショーウィンドウ（１０）の上に設けられた映像キャプチャモジュール（４０）を備えてなり、
該ショーウィンドウ（１０）の正面が透明表示パネル（１１）で閉められ、該透明表示パネル（１１）は、該中央処理ユニット（３０）と電気的に接続され、中央処理ユニット（３０）からの映像信号が表示または再生され、該透明表示パネル（１１）上にタッチコントロール入力モジュール（１４）が内蔵され、該陳列台（２０）は展示物（５０）を載せるために用いられ、及び該映像キャプチャモジュール（４０）は、該中央処理ユニット（３０）と電気的に接続され、ショーウィンドウ（１０）前の指定エリア（８０）に対応し、視聴者の映像をキャプチャして、中央処理ユニット（３０）を通じて、保存されている展示物（５０）映像と合成し、透明表示パネル（１１）に表示するように設けられていることを特徴とするインタラクティブ展示装置。
【請求項２】
該陳列台（２０）の底部にはユニバーサル伝動装置（２１）が配置され、視聴者がタッチコントロール入力モジュール１４を利用し、中央処理ユニット（３０）を通じて、リモートから該ユニバーサル伝動装置（２１）を制御して、陳列台（２０）をショーウィンドウ（１０）の床面上を自由自在に移動させ、視聴者がいろんな角度から展示物（５０）を見ることができることを特徴とする請求項１に記載のインタラクティブ展示装置。
【請求項３】
該ショーウィンドウ（１０）内の両側にはそれぞれ、該中央処理ユニット（３０）と電気的に接続されているスピーカー（１２）があり、それによって、中央処理ユニット（３０）からの音声信号が再生されることを特徴とする請求項１または２に記載のインタラクティブ展示装置。
【請求項４】
該ショーウィンドウ（１０）には更に、少なくともの一つのスポットライト（１３）が配置され、該スポットライト（１３）が陳列台（２０）の上部にスポットライト光を照射するという照明效果で、展示物（５０）をより目立たせるように設けられていることを特徴とする請求項１または２に記載のインタラクティブ展示装置。
【請求項５】
該ショーウィンドウ（１０）には更に、少なくともの一つのスポットライト（１３）が配置され、該スポットライト（１３）が陳列台（２０）の上部にスポットライト光を照射するという照明效果で、展示物（５０）をより目立たせるように設けられていることを特徴とする請求項３に記載のインタラクティブ展示装置。
【考案の詳細な説明】
【技術分野】
【０００１】
本考案は展示装置に関わり、特にインタラクティブ機能を有するオリジナルな構造形態に関する。
【背景技術】
【０００２】
閉められた空間に透明パネルが設置され、展示品または商品を入れてあるショーウィンドウは更に、適当な背景に音声や光を加えられ、視覚や聴覚の効果を利用して、通行人の目を引き、足を止めさせ、商品のイメージアップを図り、更に、広告宣伝や展示効果、販売促進などの目的を達成させように設けられている。
【０００３】
現在の百貨店やショッピングモールでは、商品が展示されるショーウィンドウは通常、静的に展示され、視覚的に効果が高い装置を使用しても、視聴者に一方向の宣伝や展示だけに止まり、ちょうど必要なもので、または興味を持たせる展示物でなければ、視聴者がそこに足を止め、細かく見ることがないと思われる。一般の視聴者たちは双方向でなく、一方向の展示商品や展示物を見たとき、通常、大雑把に見ることに止まり、そのようなショーウィンドウに足を止めているときにも、あまり時間が長くないことから、広告宣伝や展示の効果が大きく低減してしまう。
【０００４】
そして、時計やアクセサリーなどの販売を例として、従来のショーウィンドウを利用する場合、顧客との交流を行うために通常、一名の係員を用い、顧客に商品の長所や特性などを説明させたり、または、商品を顧客に試着させたり、近くに見せたりして、その購買意欲を向上させなければならない。そこで、人事費用を別として商品をそのまま顧客に試着させたり、使わせたりしたあと、人々の目を惹きつけるために、その上に付いた指紋などを一度きれいにふき取って、その表面の光沢や明るさなどをきれいに保たせなければならないこと、また、盗難などを防ぐため、従来のショーウィンドウは通常、展示者をショーウィンドウの内側に、顧客をショーウィンドウの外側でかつ出口に近いところに立たせるように配置され、それで、悪い下心を持つ人や一時的に貪欲が生じた顧客が商品を取って、そのまま出口を出てしまった場合、それを止めようとする展示者や店員がその顧客を追いかけるのがなかなか難しいこと、経営者にとって、それは確かに大きなリスクがあり、特に高価な商品を顧客に試用させたり、近くに見せたりする場合、その代価とリスクは同じ高いことだが、その試用や近くに見せることなどをやめたら、顧客の購買意欲を低減させてしまう恐れがあること。
【０００５】
それゆえ、上述した従来の展示装置に存在する問題点について、どのように、より理想的で実用性のあるオリジナルな構造を開発するのが、使用者が望むことで、関連業者が努力して開発する目標と方向でもある。
【０００６】
それに鑑みて、考案者は関連製品の製造開発や設計に携わる長年の経験を持っており、上述した目標について、詳しく設計を行い、慎重に評価したうえ、ようやく実用性のある本考案を得られたわけである。
【考案の概要】
【考案が解決しようとする課題】
【０００７】
本考案は、展示装置を提供することを目的とし、解決しようとする技術的課題は、より理想的で実用性のある、視聴者とのインタラクティブ機能を有するオリジナルな構造形態を開発することにある。
【課題を解決するための手段】
【０００８】
本考案の課題を解決しようとする技術特徴として、ショーウィンドウ、ショーウィンドウ内にある陳列台、ショーウィンドウ内にある中央処理ユニット及びショーウィンドウの上に設けられた映像キャプチャモジュールを備えてなり、該映像キャプチャモジュールは、該中央処理ユニットと電気的に接続され、該ショーウィンドウの正面が透明表示パネルで閉められ、該透明表示パネルは、該中央処理ユニットと電気的に接続され、中央処理ユニットからの映像信号が表示または再生され、該透明表示パネル上にタッチコントロール入力モジュールが内蔵され、該陳列台は展示物を載せるために用いられ、及び該映像キャプチャモジュールは、該中央処理ユニットと電気的に接続され、ショーウィンドウ前の指定エリアに対応し、視聴者の映像をキャプチャして、中央処理ユニットを通じて、保存されている展示物映像と合成し、透明表示パネルに表示するように設けられており、使用者がタッチコントロール入力モジュールによる映像の表示を利用して、インタラクティブに試着できるという機能を果すのが可能で、該映像キャプチャモジュールは近接センサーの機能を兼ね、ショーウィンドウ前に近づいた視聴者を検知するように設けられていることを特徴とするインタラクティブ展示装置。
【０００９】
このようなオリジナルな設計による本考案は背景技術に対して、人事費用の削減が可能であり、かつ、消費者の目を惹き、購買意欲を向上させ、それに、盗難リスク低減が可能という実用性、進歩性及び好適な産業上利用性がある。
【考案の効果】
【００１０】
本考案に掲示された「インタラクティブ展示装置」は、該インタラクティブ展示装置のオリジナルな構造形態と技術特徴によって、本考案が確実に下記のような長所を持っている。
【００１１】
１、人事費用の削減が可能であり、本考案は映像によって、視聴者とのインタラアクティブが行われるようになり、そこに営業員などを長時間に駐在させる必要がなく、人事費用が削減されること。
【００１２】
２、視聴者が近づくと、表示モードの切り換えが行われ、通行人などの目を惹くようになり、ショーウィンドウ前に足を止めた時間を延ばさせ、展示物への印象を深めることが可能であること。
【００１３】
３、展示物を陳列台から離す必要がなく、もちろん、盗難リスクが大幅に低減されること。
【００１４】
４、映像合成によって、視聴者と展示物との映像を合成したシミュレーションが行われ、視聴者の購買意欲を向上させること。
【００１５】
５、展示期間内、映像を利用して視聴者の試着効果を見せるため、展示物は視聴者との間に何らかの直接的な接触もなく、その外観や品質にも影響されず、展示終了後も、販売価格を低下させる必要がなく、展示後の品物だと分かりにくく、みだりに値引きを求められることもないこと。
【図面の簡単な説明】
【００１６】
【図１】本考案の立体外観図である。
【図２】本考案の広告映像再生のイメージである。
【図３】本考案の展示物映像表示のイメージである。
【図４】本考案の合成映像表示のイメージである。
【図５】本考案のもう一つの展示物の合成映像表示イメージである。
【図６】本考案のまたもう一つの展示物の合成映像表示イメージである。
【考案を実施するための形態】
【００１７】
図１に示すのは本考案のインタラクティブ展示装置の好適な実施例で、これらの実施例は説明のみに用いられるもので、特許請求の際、それらの構造に制限されないものとする。ショーウィンドウ１０、ショーウィンドウ１０内で展示物５０を置くための陳列台２０、ショーウィンドウ１０内にある中央処理ユニット３０及びショーウィンドウ１０の上に設けられた映像キャプチャモジュール４０を備えてなり、該映像キャプチャモジュール４０は、該中央処理ユニット３０と電気的に接続されていることを特徴とする該インタラクティブ展示装置。
【００１８】
該ショーウィンドウ１０の正面が透明表示パネル１１で閉められ、該透明表示パネル１１は、該中央処理ユニット３０と電気的に接続され、中央処理ユニット３０からの映像信号が表示または再生され、該透明表示パネル１１上にタッチコントロール入力モジュール１４が内蔵され、該ショーウィンドウ１０内の両側にはそれぞれ、該中央処理ユニット３０と電気的に接続されているスピーカー１２があり、それによって、中央処理ユニット３０からの音声信号が再生され、該ショーウィンドウ１０には更に、少なくともの一スポットライト１３が配置され、該スポットライト１３が陳列台２０の上部にスポットライト光を照射するという照明效果で、展示物５０をより目立たせるように設けられている。
【００１９】
該陳列台２０は展示物５０を置くために用いられ、該陳列台２０の底部にはユニバーサル伝動装置２１が配置され、視聴者がタッチコントロール入力モジュール１４を利用し、中央処理ユニット３０を通じて、リモートから該ユニバーサル伝動装置２１を制御して、陳列台２０をショーウィンドウ１０の床面上を自由自在に移動させ、顧客や視聴者がいろんな角度から展示物５０を見ることができる。
【００２０】
本考案の好適な実施例にあっては、該中央処理ユニット３０はパソコンである。
【００２１】
該映像キャプチャモジュール４０は、ショーウィンドウ１０前のエリアに対応するように設けられ、そして近接センサーの機能を兼ねている。
【００２２】
上述した構造、組合せ設計により、本考案の使用、動作状況について次のように説明するが、図２〜図４に示すように、ショーウィンドウ１０の前は足を止めた顧客がいないとき、中央処理ユニット３０に保存されている展示物５０に関する広告映像が該透明表示パネル１１に再生され、それと同時にスピーカー１２から音楽や展示物の説明が放送され、通りかかる通行人などの目を惹くように設けられており、人が映像キャプチャモジュール４０のカバーする範囲に入り、キャプチャされた映像に変化があった場合、該中央処理ユニット３０が直ちにその映像再生を中止し、事前に保存されている展示物５０に関する説明映像を再生するように設けられており、該ユニバーサル伝動装置２１が配置され、視聴者がタッチコントロール入力モジュール１４を利用し、中央処理ユニット３０を通じて、リモートから陳列台２０の位置や角度を制御し、視聴者が異なった距離や角度から展示物５０を細かく見ることができるように設けられ、そして視聴者が透明表示パネル１１上のタッチコントロール入力モジュール１４を利用し、例えば映像の拡大や縮小など、展示物５０映像の表示方法を制御できるように設けられ、時計を例として、映像キャプチャモジュール４０を利用して、使用者の腕の映像を、中央処理ユニット３０を通じて、展示物５０映像と合成し、視聴者がそれを試着しているシミュレーションを行い、その購買意欲を向上させるようにする。
【００２３】
図５に示すように、該展示物６０はメガネで、本実施形態の操作方法は前述した方法と類似し、最大な相違点と言えば、視聴者がタッチコントロール入力モジュール１４を利用して、映像合成（試着）のリクエストをしたとき、該中央処理ユニット３０が透明表示パネル１１やスピーカー１２を通じて、映像、音声や文字で、視聴者を指定エリア８０に立たせ、その立つ方向を指示し、その頭部を適当な高さに対応させ、いろんな角度からキャプチャモジュール４０で、視聴者の顔の映像を正確にキャプチャし、更に、中央処理ユニット３０に保存されているメガネ映像と合成し、最後に該透明表示パネル１１に表示するように設けられ、そうすると、視聴者が直接に展示物６０に触れなくても、いろんな角度から、あらかじめ展示物６０を試着している映像を見ることが可能なため、その購買意欲を向上させると同時に、後日生じられる販売の紛争などを低減させることができる。もう一つ特筆すべきことは、展示物６０はあくまでも、視聴者との間に何らかの直接的な接触もなく、その外観や品質にも影響されず、展示終了後も、中古品として販売価格の低下を求められることや、不当な値引き要求もなく、その価値を保つことができる。
【００２４】
図６に示すように、該展示物７０はネックレスで、本実施例形態の操作方法は前述した実施例と全く同じで、前述したメガネの展示物６０は一般的に、高価でないものに対して、図６に示すネックレスは希有な貴金属で作られ、または高価な宝石を嵌められてなるものである場合、とても高価なものであり、それをショーウィンドウ１０の中に置き、映像合成の方法で、その試着効果を見せたとき、視聴者の要求を満足させると同時に、高価な展示物７０の盗難リスクを防ぐことも可能で、展示期間中のコストを維持することができる。
【００２５】
上述した実施例に掲示されたのは、本考案を具体的に説明するために用いられる内容であり、文の中に専門用語で説明してきたが、それを以て、本考案の特許請求範囲を制限してはならないものとし、この分野が分かる者は、本考案のコンセプトや考えを理解して、それらの変更や改造を行って、それと同等な効果を得たとしても、それらの変更や改造は全て、後述の特許請求範囲に含まれるものとする。
【符号の説明】
【００２６】
１０    ショーウィンドウ
１１    透明表示パネル
１２    スピーカー
１３    スポットライト
１４    タッチコントロール入力モジュール
２０    陳列台
２１    ユニバーサル伝動装置
３０    中央処理ユニット
４０    映像キャプチャモジュール
５０    展示物
６０    展示物
７０    展示物
８０    指定エリア
【図１】
0003201970.tif 000003
【図２】
0003201970.tif 000004
【図３】
0003201970.tif 000005
【図４】
0003201970.tif 000006
【図５】
0003201970.tif 000007
【図６】
0003201970.tif 000008